(57)【要約】【課題】自動販売機の扉本体の骨格となる内扉に自動販売機の必要な機能を組み込み、別途外郭面を形成するカバーを、ネジ等の市販の工具を用い取外しを可能にすることで、外郭部品の交換を含めた保守・メンテナンス作業時間の短縮化を図る。【解決手段】自動販売機本体の前面開口部を覆う第２外扉４１は、内扉３６を形成する各フレーム３１、３２、３３、３４と、内扉３６の前面を覆う第２下部カバー３７とを備え、第２下部カバー３７は内扉３６に対して着脱可能に構成したことにより、第２下部カバー３７の着脱が容易に行うことができ、外郭部品の交換を含めた保守・メンテナンスの作業性を向上することができる。【選択図】図２
2012108578.tif 000002
【特許請求の範囲】
【請求項１】
自動販売機本体の前面開口部を覆う外扉は、骨格を形成するフレームと、前記フレームの前面を覆うカバー部材とを備え、前記カバー部材は前記フレームに対して着脱可能に構成したことを特徴とする自動販売機の扉構造。
【請求項２】
前記フレームに機能部品を取付可能とし、前記機能部品に対応する前記カバー部材に開口部を備えたことを特徴とする請求項１に記載の自動販売機の扉構造。
【請求項３】
前記カバー部材は複数の部材から構成することを特徴とする請求項１または２に記載の自動販売機の扉構造。
【請求項４】
前記フレームに補強部材を一体に構成したことを特徴とする請求項１から３のいずれか一項に記載の自動販売機の扉構造。
【請求項５】
前記カバー部材は塗装鋼板を用いたことを特徴とする請求項１から４のいずれか一項に記載の自動販売機の扉構造。
【発明の詳細な説明】
【技術分野】
【０００１】
本発明は、自動販売機の集客性の向上と販売商品の宣伝を行なうため、外郭面の塗装色や、デザインの異なる筐体を構成する自動販売機の扉構造に関するものである。
【背景技術】
【０００２】
近年、この種の自動販売機の扉構造は、商品購入者への購買意欲を高めるよう、各飲料メーカー毎の独自デザインに変えて、中身商品の宣伝を行い売上げ向上を図っている。そのため扉正面は定期的なデザイン変更による改造や、商品購入者の使用のよる破損、また屋外に設置されると、紫外線や雨水による劣化により、扉の正面への痛みは激しく、機械を維持管理する飲料メーカーは定期的な整備や部品交換を行い、常に清潔で美しい状態を保つようにしている。ところが扉構造においては、様々な設置環境に対応出来るように、溶接等で締結された強固な筐体に、塗装工程を加えて、その性能を確保している（例えば、特許文献１参照）。
【０００３】
以下、図面を参照しながら、従来の自動販売機の扉構造について説明する。
【０００４】
図６は従来の自動販売機の扉構造の正面図、図７は従来の自動販売機の扉構造の概略構成を示す斜視図、図８は図６のＡ−Ａ断面図を示すものである。
【０００５】
図６において、自動販売機の本体前面開口部を覆う外扉１は左端のヒンジ機構で回転自在に軸支されており、外扉１の反軸支側の端部に外扉１を本体に固定するロック部材２と、外扉１の上部位置に形成した商品展示窓３が形成されている。
【０００６】
また、外扉１の裏面より商品展示窓３全面を覆う透明な展示板４を設け、複数の商品選択釦５と、商品選択釦５の上方に展示された商品サンプル６を設け、販売商品を示している。商品展示窓３の下方には、広告窓７が形成され、外扉１の裏面より図や写真を印刷した広告パネルを表示する。
【０００７】
外扉１の正面には販売操作機能として、商品購入者が購入商品の金額を投入する硬貨投入口８と、つり銭を返却する返却レバー９と、外扉１の内面に設けた投入硬貨の金額を判定する硬貨識別装置１０と、挿入紙幣の金額を判定する紙幣識別装置１１と、前記返却レバー９操作時につり銭を取出すつり銭返却口１２と、選択した商品を取り出す商品取出口１３とで構成されている。
【０００８】
次に、外扉１の構成について詳細を説明する。
【０００９】
図７、図８において、外扉１の全高を構成する寸法であり、右側面から右正面の外郭面を形成した右フレーム２１と、前記右フレーム２１と同様の寸法であり、左側面から左正面の外郭面を形成し、自動販売機本体と軸支する軸受部（図示しない）を設けた左フレーム２２と、外扉１の全幅を構成する寸法であり、天面から上部正面の外郭面を形成した上部フレーム２３と、外扉１の全幅を構成する寸法とした下部フレーム２４であり、前記上部フレーム２３と共に、右フレーム２１と左フレーム２２と当接する。外扉１のほぼ中央から下方に向けて、前記硬貨識別装置１０や紙幣識別装置１１の取付け可能な形状で、右フレーム２１と左フレーム２２に当接する取付け板２５を備えている。前記各構成部品の当接部は溶接等の締結手段により着脱不可能な状態に固着された後、塗装工程を経て、左右と上部の外殻面を形成した外枠扉２６を形成する。
【００１０】
前記右フレーム２１と左フレーム２２との間に入り込む幅寸法で、左右の両端面を略コ字形状に形成された下部カバー２７は、縦寸法を商品展示窓３の下部から外扉１の下部の寸法とし、正面を外郭面として形成し、前記金銭処理部の取付け構造や広告窓７、商品取出口１３を形成し、さらに正面には必要な溶接工程と塗装工程を経たものである。そして、前記外枠扉２６と下部カバー２７はネジ２８にて締結され、外扉１が完成することになる。
【先行技術文献】
【特許文献】
【００１１】
【特許文献１】特開２００２―２４９２６号公報
【発明の概要】
【発明が解決しようとする課題】
【００１２】
しかしながら、上記従来の構成では、外郭面を形成する扉１に自動販売機の必要な機能を組み込んでいるため、自動販売機の運営中に外郭面等に破損が生じた際や、長期使用による、定期的な自動販売機の部品交換等の保守・メンテナンス、さらには、集客性向上のためのデザイン変更においても、自動販売機の運転を一旦中断し、設置先から修理工場に引揚げて、扉１の内部に取り付けた機能を全て解体してからでないと、新しい部品の交換が出来ないため、多額の費用と労力が必要になると共に、運転が中断している間は、設置先の商品購入者が利用できず、売上げも低下させる課題を有していた。
【００１３】
本発明は上記従来の課題を解決するものであり、自動販売機の扉の外郭面を形成する部品を、ネジ等の市販の工具を用い取外しを可能にすることで、外郭部品の交換を含めた保守・メンテナンス作業の軽減を図る自動販売機の扉構造を提供することを目的とする。
【課題を解決するための手段】
【００１４】
上記従来の課題を解決するために本発明の自動販売機の扉構造は、自動販売機本体の前面開口部を覆う外扉は、骨格を形成するフレームと、前記フレームの前面を覆うカバー部材とを備え、前記カバー部材は前記フレームに対して着脱可能に構成したものである。
【００１５】
これによって、自動販売機を運営する過程において、外郭面の破損による部品交換の修理が発生した場合でも、その不具合が発生した箇所の部品だけを準備して、設置先にて市販の工具を用いて交換を容易にすることができる。
【発明の効果】
【００１６】
本発明の自動販売機の扉構造は、修理や定期的なメンテナンスを設置先にて行えるため、費用の軽減が図れると共に、設置先の商品購入者は、作業時間に伴う運営中止の時間が短縮される。また分割された外郭部品の形状や色調を変更することで、従来構造では実現出来ないデザインの変更が可能になり、飲料メーカー独自の集客性を高める宣伝が行え、売上げに増加が図れる。
【図面の簡単な説明】
【００１７】
【図１】本発明の実施の形態１の自動販売機の扉構造を示す正面図
【図２】同実施の形態１における自動販売機の扉構造を示す分解斜視図
【図３】図１のＢ−Ｂ断面図
【図４】同実施の形態１の自動販売機の要部側面断面図
【図５】同実施の形態１の自動販売機の要部分解斜視図
【図６】従来の自動販売機の扉構造を示す正面図
【図７】従来の自動販売機の扉構造を示す分解した斜視図
【図８】図６のＡ−Ａ断面図
【発明を実施するための形態】
【００１８】
請求項１に記載の発明は、自動販売機本体の前面開口部を覆う外扉は、骨格を形成するフレームと、前記フレームの前面を覆うカバー部材とを備え、前記カバー部材は前記フレームに対して着脱可能に構成したことにより、カバー部材の着脱が容易に行うことができ、外郭部品の交換を含めた保守・メンテナンスの作業性を向上することができる。
【００１９】
請求項２に記載の発明は、請求項１に記載の発明において、前記フレームに機能部品を取付可能とし、前記機能部品に対応する前記カバー部材に開口部を備えたことにより、自動販売機の機能を内扉に残したまま、カバー部材の着脱が容易に行うことができ、外郭部品の交換を含めた保守・メンテナンスの作業性をさらに向上することができる。
【００２０】
請求項３に記載の発明は、請求項１または２に記載の発明において、前記カバー部材は複数の部材から構成することにより、カバー部材の形状を小型化することができ、設置先などへの運搬や組立てを容易にすることができる。
【００２１】
請求項４に記載の発明は、請求項１から３のいずれか一項に記載の発明において、前記フレームに補強部材を一体に構成したことにより、フレーム構成だけで自動販売機に必要な強度を確保することができる。
【００２２】
請求項５に記載の発明は、請求項１から４のいずれか一項に記載の発明において、前記カバー部材は塗装鋼板を用いたことにより、塗装工程の削減が図れ、扉構造の内外面の防錆が強化できる。
【００２３】
以下、本発明の実施の形態について、図面を参照しながら説明するが、従来例と同一構成、同一動作については同一符号を付してその詳細な説明を省略する。なお、本実施の形態によって本発明が限定されるものではない。
【００２４】
（実施の形態１）
図１は本発明の実施の形態１の自動販売機の扉構造を示す正面図、図２は同実施の形態１における自動販売機の扉構造を示す分解斜視図、図３は図１のＢ−Ｂ断面図、図４は同実施の形態１の自動販売機の要部側面断面図、図５は同実施の形態１の自動販売機の要部分解斜視図である。
【００２５】
図１から図５において、右内フレーム３１は扉の骨格となる構造体の右柱となるよう略コ字形状の断面で、扉のほぼ全高を構成している。そして、扉の幅寸法の中心よりほぼ対称の位置には、右内フレーム３１と対称形状で左柱となり、自動販売機本体と軸支する軸受部（図示しない）を設けた左内フレーム３２を設け、上部に前記同様の略コ字形状の断面を形成して扉のほぼ全幅を構成する寸法とした上部内フレーム３３と、下部には下部内フレーム３４を設け、右内フレーム３１、左内フレーム３２、上部内フレーム３３、下部内フレーム３４の各部品の当接部はネジ等の締結手段により強固に固着されている。なお、各フレームは一体に形成した略コ字形状の断面形状とすることで補強機能を有している。
【００２６】
そして、扉のほぼ中央から下方に向けて、硬貨識別装置１０や紙幣識別装置１１の取付け可能な形状の第２取付板３５を備え、右内フレーム３１と左内フレーム３２との当接部はネジ等の締結手段により強固に固着されることで、自動販売機の必要強度と機能を有した内扉３６を形成する。
【００２７】
第２下部カバー３７は、縦寸法を商品展示窓３の下端から扉の底部までとし、幅寸法は
扉の全幅を形成し、内扉３６の左右の右内フレーム３１と左内フレーム３２の左右側面まで巻き込むように略コ字形状に折り曲げて、正面から側面部までを外郭面として形成し、前記金銭処理部の取付け構造や第２広告窓３７ａ、第２商品取出窓３７ｂを形成している。
【００２８】
第２下部カバー３７の上端部は、内部に向けて略コ字形状に折り曲げ、展示板４を置けるようにさらに内部に向けて水平面を形成し、終端面を第２取付板３５の上面を沿うように形成する延出面３７ｃを形成することで、内扉３６との接合が可能になり、ネジ２８で締結する。また、第２下部カバー３７の左右の上端部には外郭面より少し窪ませた外周形状が所定寸法まで上方に伸長した下挿入面３７ｄが形成してある。
【００２９】
第２下部カバー３７の上部右端には、正面から側面部までの外郭面を形成した右カバー３８を有し、右カバー３８の上端部には第２下部カバー３７同様に外郭面より少し窪ませた外周形状を所定寸法まで上方に伸長した上右挿入面３８ａが形成されて、上から下方向に右側の下挿入面３７ｄに向けて差込み、右内フレーム３１にネジ２８で締結する。
【００３０】
第２下部カバー３７の上部左端には、断面形状を右カバー３８と対称形状とした左カバー３９を設け、右カバー３８同様に正面から側面部までの外郭面を形成し、上端部を外郭面より少し窪ませた外周形状を所定寸法まで上方に伸長した上左挿入面３９ａが形成されて、上から下方向に左側の下挿入面３７ｄに向けて差込み、左内フレーム３２にネジ２８で締結する。
【００３１】
また、第２下部カバー３７の上端部の延出面３７ｃは内扉３６に対して差し込んで組み込む構造としている。
【００３２】
さらに、第２下部カバー３７の延出面を複数の端面に形成して内扉３６に固定する構造としてもよい。
【００３３】
天部カバー４０は、右カバー３８と左カバー３９の上部位置に取付け、商品展示窓３の上部を形成するもので、正面から天面部と扉の側面部とに亘って一体に形成している。すなわち左右端を略コ字形状に折り曲げて、正面から側面部までを外郭面として形成し、左右に形成された上右挿入面３８ａと上左挿入面３９ａに左右端を差込み上部内フレーム３３にネジ２８で締結する。
【００３４】
なお、前記外郭面を形成する４部品（第２下部カバー３７、右カバー３８、左カバー３９、天部カバー４０）の材料は、塗装鋼板を用い形成することで、溶接工程と塗装工程を排除している。前記内扉３６に、前記カバーを組合せてネジで締結することで、第２外扉４１が完成する。
【００３５】
また、自動販売機の本体ケース（図示しない）前面の左端と回転自在に軸支された第２外扉４１に本体ケースを固定するロック部材２と、商品展示窓３の第２外扉４１の裏面より透明な展示板４を設け、複数数の商品選択釦５と、商品選択釦５の上方に展示された商品サンプル６を設け、販売商品を示している。商品展示窓３の下方には、第２広告窓３７ａが形成され、第２外扉４１の裏面より図や写真を印刷した広告パネルを表示する。
【００３６】
正面には販売操作機能として、商品購入者が購入商品の金額を投入する硬貨投入口８と、つり銭を返却する返却レバー９と、第２外扉４１の内面に設けた投入硬貨の金額を判定する硬貨識別装置１０と、挿入紙幣の金額を判定する紙幣識別装置１１と、前記返却レバー９操作時につり銭を取出すつり銭返却口１２と、選択した商品を取り出す商品取出口１３とを有し、それぞれの販売操作機能に対応する第２下部カバー３７には開口部を有して
いる。
【００３７】
上記構成により、内扉３６は、右内フレーム３１と左内フレーム３２と上部内フレーム３３と下部内フレーム３４と第２取付板３５とでフレームの骨格を形成し、前記フレームの前面を覆う各カバー部材（第２下部カバー３７、右カバー３８、左カバー３９、天部カバー４０）は前記フレームに対して着脱可能に構成しているので、カバー部材の着脱が容易に行うことができ、外郭部品の交換を含めた保守・メンテナンスの作業性を向上することができる。
【００３８】
また、それぞれの販売操作機能部品を取付可能とした第２取付板３５に対応する第２下部カバー３７には開口部を備えているので、自動販売機の機能を内扉に残したまま、カバー部材の着脱が容易に行うことができ、外郭部品の交換を含めた保守・メンテナンスの作業性をさらに向上することができる。
【００３９】
また、フレームの前面を覆う各カバー部材（第２下部カバー３７、右カバー３８、左カバー３９、天部カバー４０）は複数の部材から構成しているので、それぞれのカバー部材の形状を小型化することができ、設置先などへの運搬や組立てを容易にすることができる。
【００４０】
また、右内フレーム３１と左内フレーム３２と上部内フレーム３３と下部内フレーム３４には、一体に形成した略コ字形状の断面形状とすることで補強機能を有しているので、フレーム構成だけで自動販売機に必要な強度を確保することができる。
【００４１】
また、外郭面を形成する４部品（第２下部カバー３７、右カバー３８、左カバー３９、天部カバー４０）の材料は、塗装鋼板を用いているので、塗装工程の削減が図れ、扉構造の内外面の防錆が強化できる。
【００４２】
また、第２下部カバー３７の上端部には、延出面３７ｃを形成し、延出面３７ｃを内扉３６に固定するものであり、簡素な構造で確実に第２下部カバー３７を内扉３６に固定することができる。
【００４３】
さらに、最もメンテナンスの機会の多い第２下部カバー３７の着脱、交換作業性を向上することができる。
【００４４】
また、第２下部カバー３７の上端部の延出面３７ｃは内扉３６に対して差し込んで組み込む構造としているので、簡素な作業で確実にカバー部材をフレームに固定することができる。
【００４５】
また、第２下部カバー３７の延出面を複数の端面に形成して内扉３６に固定する構造とすることで、さらに簡素な構造、作業で確実にカバー部材をフレームに固定することができる。
【００４６】
以上説明したように、自動販売機の運営中に、仮に第２下部カバー３７の交換が必要になっても、自動販売機の機能は内扉３６の主に第２取付板３５に取付けてあるので、市販の工具で内扉３６と締結したネジを外すだけで第２下部カバー３７を容易に取外すことができ、メンテナンス性を高めることができる。
【産業上の利用可能性】
【００４７】
以上のように、本発明にかかる自動販売機の扉構造は、外観面の部品交換が容易に可能となることで、屋外に置かれ腐食の激しい物置や、加えてデザイン性を要求されるインテ
リア商品においても、機能性やデザイン性向上面での用途拡大が出来るので、扉を有するあらゆる自動販売機器の用途に適用できる。
【符号の説明】
【００４８】
３  商品展示窓
３１  右内フレーム
３２  左内フレーム
３３  上部内フレーム
３４  下部内フレーム
３５  第２取付板
３６  内扉
３７  第２下部カバー
３７ａ  第２広告窓
３７ｂ  第２商品取出窓
３７ｃ  延出面
３７ｄ  下挿入面
３８  右カバー
３８ａ  上右挿入面
３９  左カバー
３９ａ  上左挿入面
４０  天部カバー
４１  第２外扉
【図１】
2012108578.tif 000003
【図２】
2012108578.tif 000004
【図３】
2012108578.tif 000005
【図４】
2012108578.tif 000006
【図６】
2012108578.tif 000007
【図７】
2012108578.tif 000008
【図８】
2012108578.tif 000009
【図５】
2012108578.tif 000010